(57)【要約】【課題】据え置き型スキャナ２５の有効用紙サイズより大きな用紙サイズである画像を、該スキャナ２５で必要最小限の回数読み取れば読み込むことができるような画像処理装置を提供する。【解決手段】据え置き型スキャナ２５が読み取り可能な用紙より大きい読み取り対象用紙の大きさを受け付け、読み取り対象用紙の読み取り部位を特定しつつ、読み取り対象用紙上の画像を複数回に分けて据え置き型スキャナ２５により読み取り、複数個の分割画像データを取得し、対象用紙サイズと読み取り部位に従って、分割画像データをつなぎ合わせる。【選択図】　　　図１
2004015738.tif 000002
【特許請求の範囲】
【請求項１】
所定の大きさの画像を読み取る据え置き型スキャナが読み取った画像データの画像処理を行なう画像処理装置であって、
前記据え置き型スキャナが読み取り可能な有効用紙より大きい読み取り対象用紙の大きさである対象用紙サイズの入力を受け付ける受付手段と、
前記読み取り対象用紙の読み取り部位である分割読み取り部位を特定しつつ、前記読み取り対象用紙上の画像を複数回に分けて前記据え置き型スキャナにより読み取り、複数個の分割画像データを取得する分割読み取り手段と、
前記対象用紙サイズと前記分割読み取り部位に従って、前記分割画像データをつなぎ合わせる画像処理手段と
を備えた画像処理装置。
【請求項２】
前記分割読み取り手段は、前記分割読み取り部位を、前記読み取り対象用紙において予め定められた読み取り位置と読み取り順序である初期配置位置に従って特定する請求項１記載の画像処理装置。
【請求項３】
前記分割読み取り手段は、前記分割読み取り部位を、前記用紙の隅部と前記据え置き型スキャナによる読み取り範囲により特定する請求項１または２記載の画像処理装置。
【請求項４】
請求項１ないし３のいずれか記載の画像処理装置であって、
前記分割読み取り手段が据え置き型スキャナにより画像を読み取る前に、画像を分割して読み取る読み取り順序を指定する指定手段を備えると共に、
前記画像処理手段は、前記対象用紙サイズと前記分割読み取り部位と前記読み取り順序に従って、前記分割画像データをつなぎ合わせる画像処理手段と
を備えた画像処理装置。
【請求項５】
請求項１ないし３のいずれか記載の画像処理装置であって、
前記分割読み取り手段が読み取った個々の画像データをつなぎ合わせる前に、個々の画像データが画像全体のどの位置にあたるのかという配置指定を受け付ける指定受付手段を備えると共に、
前記画像処理手段は、前記対象用紙サイズと前記分割読み取り部位と前記配置指定に従って、前記分割画像データをつなぎ合わせる画像処理手段と
を備えた画像処理装置。
【請求項６】
前記分割読み取り手段が特定した分割読み取り部位あるいは前記配置指定により前記初期配置位置を変更する請求項２記載の画像処理装置。
【請求項７】
請求項１ないし６のいずれか記載の画像処理装置であって、
前記つなぎ合わせに先立って、前記対象用紙サイズと前記分割読み取り部位、あるいは更に前記読み取り順序または前記配置指定に従って、前記分割画像データに対応する分割画像を配置して表示する表示手段と、
前記表示手段により表示された前記分割画像の少なくとも一つについて位置を微調整するための情報である微調整情報を受け付ける微調整受付手段と、
前記微調整情報に対応した前記分割画像の他の分割画像に対する位置を微調整する微調整手段と、
前記分割画像の位置の微調整が完了したのち、該分割画像のつなぎ合わせを完了する画像確定手段と
を備えた画像処理装置。
【請求項８】
請求項１ないし７のいずれか記載の画像処理装置であって、前記分割画像の傾きを補正する補正部を備えた画像処理装置。
【請求項９】
所定の大きさの画像を取り込み、該取り込んだ画像データの画像処理を行なう画像処理システムであって、
所定の大きさの画像を取り込む据え置き型スキャナと、
前記据え置き型スキャナが読み取り可能な有効用紙より大きい読み取り対象用紙の大きさである対象用紙サイズの入力を受け付ける受付手段と、
前記読み取り対象用紙の読み取り部位である分割読み取り部位を特定しつつ、前記読み取り対象用紙上の画像を複数回に分けて前記据え置き型スキャナにより読み取り、複数個の分割画像データを取得する分割読み取り手段と、
前記対象用紙サイズと前記分割読み取り部位に従って、前記分割画像データをつなぎ合わせる画像処理手段と
を備えた画像処理システム。
【請求項１０】
画像を表示する表示部を備えた請求項９記載の画像処理システム。
【請求項１１】
所定の大きさの画像を取り込む据え置き型スキャナが取り込んだ画像データの画像処理を行なう画像処理方法であって、
前記据え置き型スキャナが読み取り可能な有効用紙より大きい読み取り対象用紙の大きさである対象用紙サイズの入力を受け付け、
前記読み取り対象用紙の読み取り部位である分割読み取り部位を特定しつつ、前記読み取り対象用紙上の画像を複数回に分けて前記据え置き型スキャナにより読み取り、複数個の分割画像データを取得し、
前記対象用紙サイズと前記分割読み取り部位に従って、前記分割画像データをつなぎ合わせる
画像処理方法。
【請求項１２】
所定の大きさの画像を取り込む据え置き型スキャナが取り込んだ画像データの画像処理を行なうプログラムであって、
前記据え置き型スキャナが読み取り可能な有効用紙より大きい読み取り対象用紙の大きさである対象用紙サイズの入力を受け付ける機能と、
前記読み取り対象用紙の読み取り部位である分割読み取り部位を特定しつつ、前記読み取り対象用紙上の画像を複数回に分けて前記据え置き型スキャナにより読み取り、複数個の分割画像データを取得する機能と、
前記対象用紙サイズと前記分割読み取り部位に従って、前記分割画像データをつなぎ合わせる機能と
をコンピュータにより実現するコンピュータ用プログラム。
【請求項１３】
請求項１２記載のプログラムを記録した記録媒体。
【発明の詳細な説明】
【０００１】
【発明の属する技術分野】
本発明は、所定の大きさの画像を取り込む据え置き型スキャナが取り込んだ画像データの画像処理を行なう技術に関する。
【０００２】
【従来の技術】
従来から、スキャナで画像を読み取り、読み取った画像に様々な画像処理をほどこすことが行なわれてきた。このような画像処理は、手動で行なわれることもあれば自動で行なわれることもあった。画像処理の一つとして、複数枚の画像をスキャナで読み取り、そうして得られた複数の画像データをつなぎ合わせるという画像処理も行なわれてきた。スキャナの一度の操作では読み取りきれないほど大きな画像を読み取る場合は、その画像を複数回に分けて読み取り、読み取った画像を再度つなぎ合わせ、元の画像を復元する。具体的には、画像の重なり部分の画像の特徴を読み取り、画像の特徴が一致する箇所で画像同士をつなぎ合わせる。
【０００３】
【発明が解決しようとする課題】
しかしながら、画像の重なり部分の画像の特徴を読み取り、画像の特徴が一致する箇所で画像同士をつなぎ合わせる処理は、複雑で時間がかかるという問題があった。また、このような画像処理には画像の重なり部分を必要とする。よって、一度で読み取り可能な画像の用紙サイズのうち最大のもの（以下、有効用紙サイズとよぶ）がＡ４であるスキャナで用紙サイズがＡ２の画像を処理する場合、９回の読み取り作業を行なう必要があった。このことは、使用者にとっては手間も時間もかかることになり不便であった。更に、画像に大きな空白があると、画像を認識して画像同士をつなぎ合わせることは困難であった。
【０００４】
本発明は、上記した問題点を解決するためになされたものであり、据え置き型スキャナの有効用紙サイズ以上の用紙サイズである画像を必要最小限の回数（用紙サイズがＡ２の画像を、有効用紙サイズがＡ４のスキャナで読み取る場合４回）で読み取り、外周輪郭と該用紙サイズだけで画像をつなぎ合わせる画像処理技術を提供することを目的とする。
【０００５】
【課題を解決するための手段およびその作用・効果】
上記課題の少なくとも一部を解決する本発明の画像処理装置は、
所定の大きさの画像を読み取る据え置き型スキャナが読み取った画像データの画像処理を行なう画像処理装置であって、
前記据え置き型スキャナが読み取り可能な有効用紙より大きい読み取り対象用紙の大きさである対象用紙サイズの入力を受け付ける受付手段と、
前記読み取り対象用紙の読み取り部位である分割読み取り部位を特定しつつ、前記読み取り対象用紙上の画像を複数回に分けて前記据え置き型スキャナにより読み取り、複数個の分割画像データを取得する分割読み取り手段と、
前記対象用紙サイズと前記分割読み取り部位に従って、前記分割画像データをつなぎ合わせる画像処理手段と
を備えることを特徴とする。
【０００６】
また、この装置に対応した方法の発明は、
所定の大きさの画像を取り込む据え置き型スキャナが取り込んだ画像データの画像処理を行なう画像処理方法であって、
前記据え置き型スキャナが読み取り可能な有効用紙より大きい読み取り対象用紙の大きさである対象用紙サイズの入力を受け付け、
前記読み取り対象用紙の読み取り部位である分割読み取り部位を特定しつつ、前記読み取り対象用紙上の画像を複数回に分けて前記据え置き型スキャナにより読み取り、複数個の分割画像データを取得し、
前記対象用紙サイズと前記分割読み取り部位に従って、前記分割画像データをつなぎ合わせる
ことを要旨としている。
【０００７】
かかる装置および方法によれば、据え置き型スキャナ（以下、単にスキャナという）の有効用紙サイズより大きな用紙サイズである画像を、該スキャナで必要最小限の回数読み取り、これをつなぎ合わせて元の大きさの画像に対応した画像データを得ることができる。
【０００８】
また、スキャナで画像を読み取る前に、あらかじめ用紙のどの箇所から順に読み取るかを指定すれば、簡単に元の画像を取り込むことができる。逆に画像処理装置の使用者（以下、単に使用者という）が、どういう順番で読み取ったのかを指定してもよい。
【０００９】
更に、分割して取り込んだ画像を表示し、それを使用者が微調整して修正できるようにすれば、より使用者の好みに応じた元の画像を得ることができる。また、分割して取り込んだ画像の傾きを補正することで、更によい状態で元の画像を得ることができる。
【００１０】
【発明の実施の形態】
＜第一実施例＞
以下、本発明の実施の形態について、図を参照しつつ説明する。図１は、本発明の画像処理ソフトウェアをインストールした端末（以下、処理端末２０とよぶ）とスキャナを表わした説明図である。スキャナ２５は、処理端末２０とＵＳＢ接続ケーブル３０で接続されており、読み取った画像データを処理端末２０に出力する。該スキャナには、ＴＷＡＩＮ対応のデバイスドライバが付属している。画像処理ソフトウェアは、該ドライバを直接制御し、画像ＯＢを読み込む。また、ここでのスキャナ２５は据え置き型スキャナで、一度で読み取り可能な用紙サイズのうち最大のもの（以下、有効用紙サイズとよぶ）はＡ４である。更に、スキャナで白い用紙にかかれた画像ＯＢを読み取る場合には、スキャナのふたの裏に黒い用紙を取り付け、黒い用紙にかかれた画像ＯＢを読み取る場合には、白い用紙を取り付ける。黒色と白色以外の色の用紙にかかれた画像ＯＢを読み取る場合は、どちらの用紙を取り付けてもよい。ここでは、白い用紙にかかれた画像ＯＢを読み取るものとし、スキャナのふたの裏に黒い用紙を取り付けたものとして説明する。
【００１１】
処理端末２０の内部構成を図２に基づいて説明する。処理端末２０は、処理を行なうＣＰＵ８０，処理プログラムや固定的なデータを記憶するＲＯＭ９０，ワークエリアとしてのＲＡＭ１００，時間を管理するタイマ１１０，モニタ１６５への表示を司る表示回路１３０，テキストデータをデータベースとして蓄積しているハードディスク（ＨＤ）１２０，キーボード１５０やマウス１６０とのインターフェースを司る入力インターフェース（Ｉ／Ｆ）１４０等を備える。なお、ハードディスクは固定式のものとして記載したが、着脱式のものでも良いし、着脱式の記憶装置（例えばＣＤ−ＲＯＭ，ＣＤ−Ｒ，ＣＤ−ＲＷ，ＤＶＤ−ＲＯＭ，ＤＶＤ−ＲＡＭ，フレキシブルディスクなど）を併用することも可能である。また、本実施例では、処理端末２０にインストールした画像処理ソフトウェアはＲＯＭ９０内に記憶されているものとしたが、ハードディスクに記憶しておき、起動時にＲＡＭ１００上に展開して実行するものとしても良い。あるいは、上述した着脱式の記録媒体から読み込むものとしても良い。
【００１２】
次に、実際に図１の装置により行なわれる処理について説明する。図３は、処理端末２０における画像処理ソフトウェアのフローチャートとスキャナ２５のフローチャートを示した図である。まず、スキャナ２５の使用者（以下、使用者とよぶ）は、処理端末２０で画像処理ソフトウェアを起動し、自分が読み取ろうとしている画像ＯＢがのった用紙（以下、画像用紙ＰＡとよぶ）のサイズを入力する。該入力は、Ａ２，Ａ３，Ａ４，Ｂ３，Ｂ４といった規格サイズの中から選択するようにしてもよいし、数値を直接入力するようにしてもよい。数値を入力する場合は、長方形の短辺と長辺を入力するようにする。もちろんそれらを併用してもよい。使用者が画像用紙ＰＡのサイズを指定すると、処理端末２０は該指定を受け付ける（ステップＳ２０）。処理端末２０は、数値が入力された場合、短辺４２０ｍｍ以下で、かつ長辺５９４ｍｍ以下でない場合は（ステップＳ２５）、メッセージを表示して再度の入力を促す（ステップＳ３０）。ここでは、使用者はＢ３を選択したとする。
【００１３】
画像用紙ＰＡのサイズ指定を受けた処理端末２０は、スキャナ２５が画像用紙ＰＡを読み取らなければならない回数（以下、読み取り回数という）を割り出す（ステップＳ３５）。ここでは、スキャナ２５の有効用紙サイズがＡ４（短辺が２１０ｍｍ，長辺が２９７ｍｍ）なので、以下のようになる。
（１）画像用紙ＰＡの短辺が２１０ｍｍ以下、長辺が２９７ｍｍ以下の場合は１回。
（２）画像用紙ＰＡの短辺が２１０ｍｍより長く２９７ｍｍ以下、長辺が４２０ｍｍ以下の場合は２回。
（３）画像用紙ＰＡの短辺が２１０ｍｍ以下、長辺が２９７ｍｍより長く５９４ｍｍ以下の場合は２回。
（４）画像用紙ＰＡの短辺が２１０ｍｍより長く２９７ｍｍ以下、長辺が４２０ｍｍより長く５９４ｍｍ以下の場合は４回。
（５）画像用紙ＰＡの短辺が２９７ｍｍより長く４２０ｍｍ以下の場合は４回。このように、スキャナ２５の有効用紙サイズと画像用紙サイズにより読み取り回数は決まる。読み取り回数は、スキャナ２５の有効用紙サイズが変わっても２１０ｍｍ，２９７ｍｍ，４２０ｍｍ，５９４ｍｍという値が変わるだけで同様に決定できる。また、画像用紙ＰＡがＡ３の場合は２回，Ａ２の場合は４回，Ｂ４の場合は２回，Ｂ３の場合は４回である。ここでは使用者はＢ３を選択したので、読み取り回数は４回と決定する（ステップＳ３１）。
【００１４】
使用者は、画像用紙ＰＡのサイズを指定した後、スキャナ２５に画像用紙ＰＡを読み取らせる。ここで、割り出した読み取り回数を使用者に示してもよい。ところで、通常スキャナ２５は、有効用紙サイズがＡ４ならば、Ａ４より少し大きい範囲で画像を読み取る構成となっている。よって、使用者は、スキャナ２５が読み取る範囲に画像用紙ＰＡの隅部を含むように、スキャナ２５の読み取り装置の隅部から１ｍｍ程度画像用紙ＰＡをずらして配置する。図４（Ａ）〜（Ｄ）は、そのときのスキャナ２５と画像用紙ＰＡの様子を表わした説明図である。画像用紙ＰＡは、少なくとも一度１８０度回転させて配置され、読み取られる。なお、必ずしも図４の（Ａ）（Ｂ）（Ｃ）（Ｄ）の順に読み取る必要はない。ただし、必ず画像用紙全体の１／（読み取り回数）分の画像用紙ＰＡは、１回で読み取る画像用紙ＰＡ（以下、分割画像用紙という）に含むように用紙を配置する。分割画像用紙のサイズとスキャナ２５の最大有効領域にほとんど差がない場合、あるいは差がない場合はスキャナ２５の有効領域ぎりぎりに用紙を配置すればよい。スキャナ２５は、用紙の画像データを読み取り（ステップＳ１００）、処理端末２０に該データを送信する（ステップＳ１０５）。スキャナ２５が１回で読み取った画像データを分割画像データとよぶ。該処理を読み取り回数分繰り返す。
【００１５】
処理端末２０は、分割画像データを受信すると、順番データをつけて、該画像データとともに一旦保存する（ステップＳ３３）。順番データは、分割画像データを何番目に受け取ったのかを示すデータである。分割画像データを受け取った順に１〜４をつける。４番目の分割画像データまで受信し、保存したら、完了確認のメッセージをモニタ１６５に表示する（ステップＳ３６）。使用者が完了していないという選択をした場合（ステップＳ３７）、読み取り作業に間違いがあるというメッセージを表示し（ステップＳ３８）、保存していた４つの分割画像データを削除する（ステップＳ３９）。そして、再び画像用紙ＰＡのサイズの入力を待つ。使用者が、完了したという選択をした場合は（ステップＳ３７）、順番データが１〜４となっている分割画像データを仮配置する（ステップＳ４０）。
【００１６】
ところで、図５に、本実施例でスキャナ２５で読み取った画像ＯＢの一例を示す。また、図６（Ａ）〜（Ｄ）は、それぞれ、図４（Ａ）〜（Ｄ）で読み取った分割画像データに対する分割画像ＰＩを表わしている。ここで左端や右端や上端が黒くなっているのは、スキャナ２５の最大有効領域が分割画像用紙のサイズより大きく、かつスキャナ２５のふたに黒い用紙を取り付けたためである。図４（Ａ）〜（Ｄ）を、黒い箇所の表われ方により２つのタイプにタイプ分けし、その２つのタイプの分割画像ＰＩを表わしたのが図７と図８である。以下、説明の便を図って、図７の分割画像ＰＩをＡタイプと呼び、図８の分割画像ＰＩをＢタイプと呼ぶものとする。
【００１７】
図９は、仮配置の処理を具体的に示したフローチャートである。処理端末２０は、まず分割画像データに対する分割画像ＰＩがＡタイプであるかＢタイプであるか判別する（ステップＳ１１０）。図１０は読み取ったＡタイプの分割画像データにおける主走査方向のデータ列（以下、主走査データ列とよぶ）の濃度を調べていきグラフ化した図である。一方、図１１はＢタイプの分割画像データにおける主走査データ列の濃度をグラフ化した図である。図１０と図１１では、それぞれ図７と図８の右端や左端の黒い箇所で濃度が最大になり、分割画像用紙の白い箇所で濃度が最小となっている。よって、主走査データ列を濃度でグラフ化すれば、分割画像ＰＩがＡタイプであるかＢタイプであるか判別することができる。
【００１８】
次に、分割画像データの余分なデータを削除する処理を行なう（ステップＳ１１５）。Ｂ３の画像用紙ＰＡを４回にわけて読み取っているので、本来必要な分割画像データは、１８２×２５８ｍｍ分だけである。よって、有効用紙サイズからあるいは１８２×２５８ｍｍ分の画像データを得るために余分な画像データを削除するのである。余分な画像データを削除した後の分割画像データを有効分割画像データと呼ぶ。具体的には、Ａタイプの分割画像データの場合は主走査データ列の濃度最大部が終わった箇所に始点をとり、そこから主走査方向に１８２ｍｍ分の画像データをとり、残りの画像データは削除する。該処理を全主走査データ列に対して行なう。また、分割画像データにおける副走査方向のデータ列を副走査データ列とよぶと、副走査方向の場合は副走査データ列の濃度最大部が終わった箇所に始点をとり、そこから副走査方向に２５８ｍｍ分の画像データをとり、残りの画像データは削除する。該処理を全副走査データ列に対して行なう。Ｂタイプの分割画像データの場合は主走査データ列の濃度最大部が終わった箇所に始点をとり、そこから主走査方向とは反対方向に１８２ｍｍ分の画像データをとり、残りの画像データは削除する。副走査方向の場合はＡタイプと同様である。なお、Ａタイプの分割画像データとＢタイプの分割画像データは、それぞれ２枚分ずつ存在し、どちらのタイプでも副走査方向に２５８ｍｍとる。なお、図１０と図１１は、それぞれＡタイプとＢタイプの該処理を表わした説明図である。
【００１９】
削除処理を読み取り回数分（ここでは４回分）終了したら（ステップＳ１１７）、次にそれらの分割画像データを配置する（ステップＳ１２０）。図１２は該処理を説明するための図である。Ａタイプの有効分割画像データはＡ面に配置し、ＢタイプはＢ面に配置する。それぞれ２枚分の有効分割画像データを２箇所のＡ面やＢ面のどちらに配置するかは任意である。なお、なるべく有効分割画像データの角部のデータは画像データ全体の角にくるように配置する。角部を判別できない場合はそのまま配置する。
【００２０】
次に、ステップＳ１２０で配置した有効分割画像データをモニタ１６５に表示する（ステップＳ１２５）。図１３は表示された４枚の有効分割画像データに対する画像（以下有効分割画像ＤＰと呼ぶ）を示す説明図である。ステップＳ１２０において任意に有効分割画像データを配置したので、４枚の有効分割画像ＤＰを表示すると、画像全体としては誤った画像になる可能性がある。その場合は有効分割画像ＤＰの位置を変更する（図３のステップＳ４５）。図１４は該位置変更処理を示すフローチャートである。まず、使用者から有効分割画像ＤＰの位置変更要求を受け付ける（ステップＳ１３０）。該要求は、パズルのようなユーザインターフェースで受け付けてもよいし、その他にも様々なユーザインターフェースが考えられる。位置変更要求がある場合は（ステップＳ１３５）、有効分割画像ＤＰの位置変更を行なう（ステップＳ１４０）。なお、位置変更には有効分割画像ＤＰの回転も含む。上記したように角部を判別することができなかった場合は、有効分割画像ＤＰを回転させなければならない場合があるからである。そして位置変更後の４枚の有効分割画像ＤＰをモニタ１６５に表示する（ステップＳ１４５）。該処理は位置変更の要求がなくなるまで繰り返す。
【００２１】
位置変更の要求がなくなったら、次に有効分割画像ＤＰの表示位置を微調整する（図３のステップＳ４７）。図１５は該微調整処理を示すフローチャートである。まず使用者から微調整の要求を受け付ける（ステップＳ１５０）。図１６は、表示位置の微調整が必要となる有効分割画像ＤＰの例である。該微調整の要求は、マウスを使ったドラッグアンドドロップで行なってもよいし、上下左右への移動数値を入力することで行なってもよい。微調整の要求がある場合（ステップＳ１５５）、表示位置を微調整する（ステップＳ１６０）。次に、微調整後の有効分割画像ＤＰをモニタ１６５に表示する（ステップＳ１６５）。微調整の要求がなくなったら（ステップＳ１５５）、４枚の有効分割画像ＤＰを１枚の画像ＯＢとして確定する（ステップＳ１７０）。
【００２２】
以上説明した実施例によれば、スキャナ２５の有効用紙サイズより大きな画像用紙ＰＡを必要最小限の読み取り回数で読み込むことができる。また、画像ＯＢの認識を要しないので、画像ＯＢに大きな空白があっても画像同士をつなぎ合わせることができる。
【００２３】
＜第二実施例＞
第二実施例では、分割画像ＰＩを読み込んだ後で、分割画像データに対して傾き補正を行なう。図１７は、その場合の仮配置のフローチャートを示している。本実施例では、分割画像データの余分なデータを削除する（ステップＳ２０５）前に、分割画像データに対して傾き補正を行なう（ステップＳ２００）。傾き補正は、主走査方向と副走査方向の両方に対して行なう。そして、傾き補正後の分割画像データから余分なデータを削除する（ステップＳ２０５）。
【００２４】
以上説明した第二実施例によれば、第一実施例と同様な作用効果を奏する上、更に、分割画像ＰＩを傾き補正して表示することで、より正確な画像ＯＢを取得することが可能である。
【００２５】
以上、本発明の実施の形態について説明したが、本発明はこうした実施の形態に何ら限定されるものではなく、本発明の要旨を逸脱しない範囲内において、更に様々な形態で実施しうることは勿論である。例えば、画像処理ソフトウェアでスキャナ２５での読み取り回数を割り出した後、使用者に対して分割画像ＰＩの読み取り順を指定するという設定にすることも可能である。その場合は、モニタ１６５上に読み取り順を表示する。図１８は、モニタ１６５に読み取り順が表示された様子を表わした図である。この指定により、分割画像データを配置する処理が不要になる。
【００２６】
また、読み取り順序は、予め書面やマニュアルで指定しておいてもよい。その場合は、２回で読み取る場合，４回で読み取る場合の読み取り順序をそれぞれ指定しておく。この場合も、分割画像データを配置する処理が不要になる。
【００２７】
一方、有効分割画像ＤＰを配置する際、画像処理ソフトウェアに予め設定されている順序（以下、デフォルトという）に従って、有効分割画像ＤＰを配置するものとしてもよい。例えば、４回で読み取った場合は、１回目で読み取った有効分割画像ＤＰは右上，２回目で読み取った有効分割画像ＤＰは左上，３回目で読み取った有効分割画像ＤＰは左下，４回目で読み取った有効分割画像ＤＰは右下に配置するようデフォルトで設定しておく（図１８の場合と同じ配置）。スキャナにはふたがあるので、２回目は１回目読み取った後に平行にスライドさせて読み取り、３回目は画像用紙ＰＡを回転させて読み取るのが一般的である。よって、デフォルトをそのように設定しておくと、有効分割画像ＤＰが正しく配置される蓋然性が高く、使用者は通常の使用方法で有効分割画像ＤＰを配置しなおさなくてすむ。
【００２８】
なお、デフォルトは変更できるものとしても良い。デフォルトの変更は、過去に使用者が分割画像ＰＩを読み取った読み取り順序を反映させて自動的に行なうことも可能である。使用者自身の読み取り順序を反映させることができるので、使用者にとってより簡便である。
【００２９】
また、上述した読み取り順の指定を、デフォルトに従って表示するようにしても良い。そうすれば、更に有効分割画像ＤＰが正しく配置される可能性が高くなり、使用が容易になる。
【００３０】
使用者自身がスキャナ２５で分割画像ＰＩを読み取った際に、画像全体のどこを読み取ったのか指定するという設定にすることも可能である。この場合も、分割画像データを配置する処理が不要になる。
【図面の簡単な説明】
【図１】処理端末２０とスキャナ２５を示す説明図である。
【図２】処理端末２０の内部構成を示す説明図である。
【図３】処理端末２０における画像処理ソフトウェアのフローチャートとスキャナ２５のフローチャートである。
【図４】スキャナ２５での分割画像ＰＩの読み取り処理の一例を示す説明図である。
【図５】画像用紙ＰＡを示す説明図である。
【図６】分割画像ＰＩの１つを示す説明図である。
【図７】Ａタイプの分割画像ＰＩを示す説明図である。
【図８】Ｂタイプの分割画像ＰＩを示す説明図である。
【図９】第一実施例における分割画像ＰＩの仮配置処理を示すフローチャートである。
【図１０】Ａタイプの分割画像データにおける主走査方向のデータ列の濃度をグラフ化した図である。
【図１１】Ｂタイプの分割画像データにおける逆主走査方向のデータ列の濃度をグラフ化した図である。
【図１２】有効分割画像ＤＰの配置を示す説明図である。
【図１３】位置変更処理が必要な４枚の有効分割画像ＤＰを示す説明図である。
【図１４】有効分割画像ＤＰの位置変更処理を示すフローチャートである。
【図１５】有効分割画像ＤＰの微調整処理を示すフローチャートである。
【図１６】微調整処理が必要な４枚の有効分割画像ＤＰを示す説明図である。
【図１７】第二実施例における分割画像ＰＩの仮配置処理を示すフローチャートである。
【図１８】モニタ１６５に画像用紙ＰＡの読み取り順が表示された様子を表わした説明図である。
【符号の説明】
２０…処理端末
２５…スキャナ
３０…ＵＳＢ接続ケーブル
８０…ＣＰＵ
９０…ＲＯＭ
１００…ＲＡＭ
１１０…タイマ
１２０…ハードディスク
１３０…表示回路
１４０…入力インターフェース
１５０…キーボード
１６０…マウス
１６５…モニタ
ＰＡ…画像用紙
ＰＩ…分割画像
ＯＢ…画像
ＤＰ…有効分割画像
【図１】
2004015738.tif 000003
【図２】
2004015738.tif 000004
【図３】
2004015738.tif 000005
【図４】
2004015738.tif 000006
【図５】
2004015738.tif 000007
【図６】
2004015738.tif 000008
【図７】
2004015738.tif 000009
【図８】
2004015738.tif 000010
【図９】
2004015738.tif 000011
【図１０】
2004015738.tif 000012
【図１１】
2004015738.tif 000013
【図１２】
2004015738.tif 000014
【図１３】
2004015738.tif 000015
【図１４】
2004015738.tif 000016
【図１５】
2004015738.tif 000017
【図１６】
2004015738.tif 000018
【図１７】
2004015738.tif 000019
【図１８】
2004015738.tif 000020